【手続補正書】
【提出日】平成18年12月26日(2006.12.26)
【手続補正１】
【補正対象書類名】明細書
【補正対象項目名】特許請求の範囲
【補正方法】変更
【補正の内容】
【特許請求の範囲】
【請求項１】  種々の重要度のレベルがビット、符号ないしは、グループ内により１つのチャネル経由でデータフレーム内で割当てられるソース符号化ディジタル信号の送信方法であって、
送信側で行うソース符号化においてチャネル符号化の前に情報の全体ユニットの各データフレームを、ビット、符号やグループ内により種々の重要性レベルの任意の数の情報サブユニットへの、云いかえると所謂階層クラスへの分割を行ない、受信側で任意の瞬間にチャネル品質の関数として階層的な構造を有するデータを選択し、
各受信データフレームのチャネル復号化の後に受信側で送信された情報サブユニットのサブセットで、その瞬間でのチャネルの品質および／あるいは与えられた復号化複雑性および／あるいは利用可能な受信機複雑性に左右されるサブセットが正しく復号化されるように、且つ、復号化データの訂正部分が誤り訂正符号の復号化方法の特性から確定されて、送信された情報サブユニットの正しく復号化されたサブセットのみがソース信号の再構築に用いられ、アプリケーションへと受け渡され、誤り検出および位置探知と誤り訂正の双方を同時に可能にする単一符号を用いてソース符号化データストリームをチャネル符号化することを特徴とするソース符合化ディジタル信号の送信方法。
【請求項２】  送信されるべきデータフレームにおいて当該アプリケーションに対し重要性が最大である情報サブユニットが先ず配列され、その後に重要性の少ない情報サブユニットが符号化形態での有効性に従って順次に配列されることを特徴とする前記請求項１に記載の方法。
【請求項３】  ソース符号化に対して可変長符号を用いることを特徴とする前記請求項１又は２に記載の方法。
【請求項４】  ある情報サブユニットの解釈が別の情報サブユニットの正しさに依存する場合に、この依存サブユニットはデータフレームのさらに後ろに符号化形態で配列されることを特徴とする前記請求項１ないし３のいずれか１つに記載の方法。
【請求項５】  可変冗長度の符号を用いることにより、符号レートがデータフレームの長さに沿って、１以下である最大値にまで増加することを特徴とする前記請求項１ないし４のいずれか１つに記載の方法。
【請求項６】  レート互換符号を用いることにより、そのレートがデータフレームの長さに沿って、１以下の最大値にまで増加することを特徴とする前記請求項１ないし４のいずれか１つに記載の方法。
【請求項７】  情報サブユニットがデータフレームの初めと終端の双方からデータフレームの中央に向かって重要性を減らす順序に配列されることを特徴とする前記請求項１に記載の方法。
【請求項８】  ソース符合化にプレフィックスが無く、ポストフィックスも無い可変長符号の双方を用いることを特徴とする前記請求項７に記載の方法。
【請求項９】  逆可変長符号で符号化された部分にＭＰＥＧ‐４映像符号化のエラー耐性の高い誤り防止モードを用いることを特徴とする前記請求項７に記載の方法。
【請求項１０】  ある情報サブユニットの解釈が別の情報サブユニットの正しさに依存する場合に、その依存サブユニットがデータフレームの中央に向かってさらに符号化形態に配列されることを特徴とする前記請求項７に記載の方法。
【請求項１１】  可変冗長性符号の使用によって、その符号レートがデータフレームの初めと終端からデータフレームの中央に向かって１以下の最大値にまで増加し、可変冗長性符号がデータフレームの初めと終端から同時、ないし順次復号化されることを特徴とする前記請求項７、８または１０に記載の方法。
【請求項１２】  レート互換符号の使用によって、その符号レートがデータフレームの初めと終端からデータフレームの中央に向かって１以下の最大値にまで増加し、レート互換符号がデータフレームの初めと終端から同時にないしは、順次に復号化されることを特徴とする前記請求項７、８、１０または１１に記載の方法。
【請求項１３】  復号化に必要とされる複雑性とチャネル状態の関数として、あるデータフレームに関してのみ復号化する方法であって、大メモリと可変レートの畳込み符号と組合された所定の複雑性のある適応逐次復号化が使用され、次にオリジナルディジタル送信信号が無欠陥であると考えられるデータから再構築されることを特徴とする前記請求項１ないし１２のいずれか１つに記載の方法。
【請求項１４】  逐次復号化アルゴリズム、すなわち、スタックアルゴリズム、Ｆａｎｏアルゴリズム、による復号化を特徴とする前記請求項１ないし１３のいずれか１つに記載の方法。
【請求項１５】  情報の一部分の無欠陥復号化を適切な方法により行うことを特徴とする前記請求項１ないし１４のいずれか１つに記載の方法。
【請求項１６】  情報の無欠陥復号化部分が、復号器が停止する点からメトリクスにより、あるいは消費復号化情報資源により、あるいはその、または逐次復号化プロセスからの他の適切な情報の変化により、あるいは表記した基準の組合せにより設置されることを特徴とする前記請求項１５に記載の方法。
【請求項１７】  復号化に対して、スタックアルゴリズムにより動作する復号器が使用され、第一の誤りの位置探知がスタックの内容により行われることを特徴とする前記請求項１４ないし１６に記載の方法。
【請求項１８】  全ての個々の復号化情報サブユニットに関する信頼性情報がスタックの内容から作成されることを特徴とする前記請求項１７に記載の方法。
【請求項１９】  復号化経路の全てのサブ経路に関する信頼性情報が逐次復号化プロセスの特性から作成されることを特徴とする前記請求項１４に記載の方法。
【請求項２０】  誤り位置探知が表記の２つ以上の基準を適切に組合せることによって行われることを特徴とする前記請求項１６ないし１９のいずれか１つに記載の方法。
【請求項２１】  ソース制御チャネル符号化、チャネル復号化および逐次復号化を用いることを特徴とする前記請求項１ないし２０のいずれか１つに記載の方法。
【請求項２２】  パケット損失のあるチャネルが適切なインターリービングプロセスにより消失チャネルに変換されることを特徴とする前記請求項１ないし２１のいずれか１つに記載の方法。
【請求項２３】  ディジタル音声、テキスト、音響、画像、映像や測定信号、それらを組合せた信号の、特にマルチメディアデータの送信に用いることを特徴とする前記請求項１ないし２２のいずれか１つに記載の方法。
【請求項２４】  ＪＰＥＧ符号化静止画の伝送に使用することを特徴とする前記請求項２３に記載の方法。
【請求項２５】  ＧＳＭ経由での音声送信に使用することを特徴とする前記請求項２３に記載の方法。
【請求項２６】  ＡＴＭ経由での画像送信に使用することを特徴とする前記請求項２３に記載の方法。
【請求項２７】  遅れて到達したり、あるいは到達しないパケットを適切なインターリビングプロセスにより消失チャネルに変換し、インターネットパケット伝送プロトコル（ＩＰ）に使用することを特徴とする前記請求項２３に記載の方法。
【請求項２８】  テレビジョン放送に使用することを特徴とする前記請求項２３に記載の方法。
【請求項２９】  データのＰＣＭ送信、特に測定信号に使用することを特徴とする前記請求項２３に記載の方法。
【請求項３０】  特にＤＡＢ（ディジタルオーディオ放送）システムにより移動オーディオ送信に使用することを特徴とする前記請求項２３に記載の方法。
【請求項３１】  遅れて到達したり、到達しないパケットを適切なインターリービングプロセスにより消去するもので、インターネット経由でオーディオ放送に使用することを特徴とする前記請求項２３に記載の方法。
【請求項３２】  ソース符号化ディジタル信号の送信がこれらの信号を内包した記憶媒体、例えば磁気記録媒体を備え、チャネルを構成する記憶装置により実施されることを特徴とする前記請求項１から２４のいずれか１つ、または２８に記載の方法。
【請求項３３】  種々の重要度のレベルがビット、符号ないしは、グループ内により割り当てられるソース符号化ディジタル信号を受信する受信機であって、
それぞれのデータフレームに対して送信側で行うソース符号化においてチャネル符号化の前に情報の全体ユニットを、ビット、符号やグループ内により種々の重要度のレベルの任意の数の情報サブユニットへの、云いかえると所謂階層クラスへの分割を行い、誤り検出および位置探知と誤り訂正の双方を同時に可能にする単一符号を用いてソース符号化データストリームをチャネル符号化して、１つのチャネル経由で送信されるデータフレームを受信する手段と、
送信された情報サブユニットのサブセットであって、その瞬間でのチャネルの品質および／あるいは与えられた復号化複雑性および／あるいは利用可能な受信機複雑性に左右されるサブセットを、その時点で受信されるそれぞれのデータフレームについて正しく復号化するように構成され、復号化データの訂正部分が復号化方法の特性から確定されるチャネル復号化を行う手段と、
送信された情報サブユニットのサブセットであって、正しく復号化されたと認識されたサブユニットのみを使用してアプリケーションへと受け渡すために構成され、ソース信号を再構築する手段とを備えることを特徴とする受信機。
【請求項３４】  情報の一部分の無欠陥符号化を適切な方法により行うように構成されることを特徴とする請求項３３に記載の受信機。
【請求項３５】  大メモリと可変レートの畳込み符号と組合された所定の複雑性のある適応逐次復号化を行う手段を有し、該手段が、復号化に必要とされる複雑性およびチャネル状態の関数として、あるデータフレームに関してのみ復号化を行い、
次にオリジナルディジタル送信信号が無欠陥であると考えられるデータから再構築されることを特徴とする請求項３３または請求項３４に記載の受信機。